(57)【特許請求の範囲】
【請求項１】
紙を折り曲げて形成した可撓性のある複数のパーツを連結することにより構成された紙製人形であって、上記複数のパーツが、胴部と、頭部と、左右の腕と、左右の脚と、上記腕を胴部に取り付けるための左右の肩関節部材とを含み、  上記胴部は、筒状をしていて、軸線を縦向きにして配置されており、  上記肩関節部材は、略Ｕ字形をしていて、上記胴部の側面に当接する中壁部と、外側に向かって開放する一対の側壁部とを有し、左右の肩関節部材が中壁部で上記胴部に回動可能に連結されており、  上記腕は、可動に連結された上腕部材と前腕部材と手首部材とを有し、少なくとも上腕部材が筒状に形成されていて、この上腕部材の基端部が上記肩関節部材の一対の側壁部間に挟持され、これら側壁部と上腕部材とが回動可能に連結されており、  上記脚は、可動に連結された大腿部材と下腿部材と足部材とを有し、少なくとも大腿部材が筒状に形成されていて、この大腿部材が上記胴部の側面に当接し、該胴部に回動可能に連結されている、ことを特徴とする紙製人形。
【請求項２】
上記胴部が、筒状で最も大きい断面サイズを有する胸部材と、筒状で中間の断面サイズを有する腹部材と、筒状で最も小さい断面サイズを有する腰部材とを、互いに連結することにより形成され、上記胸部材には、その左右両側面に軸線方向に延びる凹部が形成されていて、この凹部の位置で上記肩関節部材がこの胸部材に連結され、また、上記腰部材に上記脚が連結されていることを特徴とする請求項１に記載の紙製人形。
【請求項３】
紙を折り曲げて形成した可撓性のある複数のパーツを、連結金具で可動に連結することにより構成されており、 上記左右の肩関節部材が、上記胴部とこれら肩関節部材の上記中壁部とを貫通する第１連結金具によって該胴部に回動可能に連結され、 上記上腕部材の基端部が、上記肩関節部材の一対の側壁部と該上腕部材とを貫通する第２連結金具によって該肩関節部材に回動可能に連結され、 上記大腿部材が、上記胴部を貫通する第３連結金具によって該胴部に回動可能に連結されている、ことを特徴とする請求項１または請求項２に記載の紙製人形。
【請求項４】
上記腕がさらに、上記肩関節部材と上腕部材との連結部分を覆う肩部材を有していて、この肩部材はＵ字形に折り曲げられ、上記肩関節部材に上記第２連結金具で回動可能に装着されている、ことを特徴とする請求項３に記載の紙製人形。
【請求項５】
上記脚がさらに、上記大腿部材と下腿部材との連結部分を覆う略Ｕ字形の膝部材と、下腿部材と足部材との連結部分を覆う略Ｕ字形の足首覆い部材とを有していて、上記膝部材は、上記大腿部材と下腿部材とを連結する第４連結金具でこれら両部材の連結部分に回動可能に装着され、上記足首覆い部材は、上記下腿部材と足部材とを連結する第５連結金具でこれら両部材の連結部分に回動可能に装着されていることを特徴とする請求項３または請求項４の何れかに記載の紙製人形。
【請求項６】
上記各連結金具は、軟質化された表面を有する針金により形成され、その両端部に、該針金の端部を軸線と交叉する方向に折り曲げて形成した抜止用の折曲部を有し、また、該連結金具の少なくとも一端側には、該連結金具の端部を上記折曲部上に巻き付けて形成した巻取部と、上記折曲部を回転操作するための耳部とを有していて、上記折曲部を回転させて巻取部の巻き数を増やすことによって該連結金具の長さが調整可能であることを特徴とする請求項３から５までの何れかに記載の紙製人形。
【発明の詳細な説明】
【技術分野】
【０００１】
本発明は、厚紙を折り曲げて形成した複数のパーツを連結して成る紙製の人形に関するものである。
【背景技術】
【０００２】
頭部や胴体、左右両腕及び両脚等の各種パーツを相互に可動に連結して成る人形はごく一般的に見られるものであるが、このような人形のうち、厚紙を切り抜き、切り抜いた紙を折り曲げたり貼ったりして加工し、自分で立体的な人形を形成することができる紙製の人形も広く知られている。
このような紙製の人形においては、人間に近い動きを実現するため、人形の肩や肘、股、膝などの関節部分で、腕や脚が曲げられるようになっているものも多いが、この種の人形は、関節部分の動きがきわめて機械的でぎくしゃくしているのが通常で、実際の人間のような柔軟な関節の動きを表現することが難しく、紙製という点で動きに一定の制限があるという事実を踏まえても、実際の人間の動きと大きくかけはなれている場合が多かった。
また、その一方で、上述のような複数の関節部分で可動である組立式の紙製人形は、関節部分の構成が複雑化する傾向にあり、これが人形全体の製作を難しくする原因となっていることがあった。
【特許文献１】実開昭５９−７３９９３号公報
【特許文献２】実開昭５９−７６２９４号公報
【特許文献３】実用新案登録第３０６８３１４号公報
【発明の開示】
【発明が解決しようとする課題】
【０００３】  本発明の技術的課題は、紙製の人形において、実際の人間の動きにより近い動きを実現することができるものを提供することにある。
【課題を解決するための手段】
【０００４】  上記課題を解決するため、本発明の紙製人形は、紙を折り曲げて形成した可撓性のある複数のパーツを連結することにより構成された紙製人形であって、上記複数のパーツが、胴部と、頭部と、左右の腕と、左右の脚と、上記腕を胴部に取り付けるための左右の肩関節部材とを含み、上記胴部は、筒状をしていて、軸線を縦向きにして配置されており、上記肩関節部材は、略Ｕ字形をしていて、上記胴部の側面に当接する中壁部と、外側に向かって開放する一対の側壁部とを有し、左右の肩関節部材が中壁部で上記胴部に回動可能に連結されており、上記腕は、可動に連結された上腕部材と前腕部材と手首部材とを有し、少なくとも上腕部材が筒状に形成されていて、この上腕部材の基端部が上記肩関節部材の一対の側壁部間に挟持され、これら側壁部と上腕部材とが回動可能に連結されており、上記脚は、可動に連結された大腿部材と下腿部材と足部材とを有し、少なくとも大腿部材が筒状に形成されていて、この大腿部材が上記胴部の側面に当接し、該胴部に回動可能に連結されていることを特徴とするものである。【０００５】  本発明の具体的な構成態様によれば、上記胴部が、筒状で最も大きい断面サイズを有する胸部材と、筒状で中間の断面サイズを有する腹部材と、筒状で最も小さい断面サイズを有する腰部材とを、互いに連結することにより形成され、上記胸部材には、その左右両側面に軸線方向に延びる凹部が形成されていて、この凹部の位置で上記肩関節部材がこの胸部材に連結され、また、上記腰部材に上記脚が連結されている。 そして、上記紙製人形においては、紙を折り曲げて形成した可撓性のある複数のパーツが、連結金具で可動に連結されており、上記左右の肩関節部材が、上記胴部とこれら肩関節部材の上記中壁部とを貫通する第１連結金具によって該胴部に回動可能に連結され、上記上腕部材の基端部が、上記肩関節部材の一対の側壁部と該上腕部材とを貫通する第２連結金具によって該肩関節部材に回動可能に連結され、上記大腿部材が、上記胴部を貫通する第３連結金具によって該胴部に回動可能に連結されている。  本発明の他の具体的な構成態様によれば、上記腕がさらに、上記肩関節部材と上腕部材との連結部分を覆う肩部材を有していて、この肩部材はＵ字形に折り曲げられ、上記肩関節部材に上記第２連結金具で回動可能に装着されている。  また、本発明の他の具体的な構成態様によれば、上記脚がさらに、上記大腿部材と下腿部材との連結部分を覆う略Ｕ字形の膝部材と、下腿部材と足部材との連結部分を覆う略Ｕ字形の足首覆い部材とを有していて、上記膝部材は、上記大腿部材と下腿部材とを連結する第４連結金具でこれら両部材の連結部分に回動可能に装着され、上記足首覆い部材は、上記下腿部材と足部材とを連結する第５連結金具でこれら両部材の連結部分に回動可能に装着されている。【０００６】  さらに、本発明においては、上記各連結金具は、軟質化された表面を有する針金により形成され、その両端部に、該針金の端部を軸線と交叉する方向に折り曲げて形成した抜止用の折曲部を有し、また、該連結金具の少なくとも一端側には、該連結金具の端部を上記折曲部上に巻き付けて形成した巻取部と、上記折曲部を回転操作するための耳部とを���していて、上記折曲部を回転させて巻取部の巻き数を増やすことによって該連結金具の長さが調整可能である。
【発明の効果】
【０００７】  上記構成を有する紙製人形は、腕や脚を胴部に対して動かした際に、略Ｕ字状に形成された肩関節部材が撓んだり、筒状に形成された胴部や上腕部材、大腿部材が撓んだり潰れたりして変形することにより、各関節部分が柔軟な動きをするようになっているため、従来の人形のように機械的でぎくしゃくした動きが少なくなり、人間により近い動きをすることができる。
【発明を実施するための最良の形態】
【０００８】
図１は本発明の一実施例を示すもので、この実施例の紙製人形は、図２に示すような１枚の厚紙に印刷された各パーツの展開図をそれぞれ所定の形状に切り抜くと共に、それらを所定の形状に折り曲げることにより可撓性のあるパーツを複数形成し、それらのパーツを連結金具で互いに可動に連結することにより構成したもので、胴部１と、頭部２と、左右の腕３，３と、左右の脚４，４と、各腕３，３を胴部１に取り付けるための左右の肩関節部材５，５とを有している。
【０００９】
上記胴部１は、全体として筒状に形成され、かつ軸線を縦向きにして配置されているもので、図３及び図４に示すように、筒状で最も大きい断面サイズを有して胴部１の上部側を形成し、上記腕３，３が連結される胸部材１１と、筒状で最も小さい断面サイズを有して胴部１の下部側を形成し、上記脚４，４が連結される腰部材１２と、筒状で中間の断面サイズを有して胴部１の中間部を形成する腹部材１３とを有し、これら胸部材１１、腹部材１３、腰部材１２を互いに連結することにより構成されている。
【００１０】
具体的には、胸部材１１、腰部材１２及び腹部材１３は、いずれも軸線と直交する横断面が略矩形状である筒状に形成されていて、胸部材１１、腹部材１３、腰部材１２の順に、断面の縦横寸法が順次小さくなり、軸線方向の長さ寸法が順次大きくなるように形成されている。そして、腹部材１３内には腰部材１２の上部側が所定の間隙を介して収容され、胸部材１１内に該腹部材１３の上部側が所定の間隙を介して収容されており、各部材１１，１２，１３が、それらの側面を左右方向に貫通する第１連結金具５２により、それらの上部側の位置において相互に連結されている。このとき、腹部材１３及び腰部材１２は、それらの上端が胸部材１１の上端開口から突出しないように、該胸部材１１内で上記第１連結金具５２によって位置決めされている。すなわち、上記胴部１は、胸部材１１内に腹部材１３及び腰部材１２の上部側がそれぞれ所定の間隙を介して順次略同軸に収容され、胸部材１１の下端開口から腹部材１３の下部側が突出すると共に、該腹部材１３の下部開口から腰部材１２の下部側が突出した状態に形成されており、上記胸部材１１内で、腰部材１２及び腹部材１３が、上記第１連結金具５２を軸として回動できるようになっている。
【００１１】
上記頭部２は、全体として筒状に形成され、かつ軸線を縦向きにして配置されているもので、図３及び図４に示すように、上記胴部１と連結される筒状の首部材２１と、該首部材２１の上部側に回動可能に連結される筒状の頭部下半部材２２及び頭部上半部材２３と、人形の顔の絵が描かれており、上記頭部上半部材２３の外面に取り付けられて頭部２の正面を形成する湾曲板状の顔部材２４とを有している。上記首部材２１及び頭部各部材２２，２３は、頭部上半部材２２、頭部下半部材２３、首部材２１の順に、筒の断面サイズが順次小さくなるように形成されている。また、上記首部材２１は、上記胴部１の腰部材１２の筒の断面サイズよりも小さく形成されており、その下部側が上記腰部材１２の内部に収容された状態で、上記胴部１に対して連結されている。
【００１２】
具体的には、首部材２１及び頭部各部材２２，２３は、いずれも略円筒状に形成されていて、頭部上半部材２３、頭部過半部材２２、首部材２１の順に、その径が順次小さくなるように形成されている。頭部下半部材２２内には首部材２１の上部側が所定の間隙を介して収容されると共に、頭部上半部材２３内には上記頭部下半部材２２の上部側が嵌合状態に収容され、該頭部上半部材２３における正面から左右両側面に至る外面には湾曲した顔部材２４が装着されている。そして、頭部２を構成するこれらの各部材２１，２２，２３，２４は、首部材２１、頭部各部材２２，２３、及び顔部材２４の両端部を上記頭部２の上記第１連結金具５２と略平行に貫通する頭部連結金具２５により、相互に連結されている。このとき、上記首部材２１の下部側は、上記頭部下半部材２２の下端開口から突出して上記胴部１の腰部材１２の内部に所定の間隙を介して収容されており、上記第１連結金具５２が貫通して上記胴部１に対して連結されている。そうすることにより、上記首部材２１が、上記胴部１に対して、上記第１連結金具５２を軸として回動できるようになっており、また、上記頭部下半部材２２、頭部上半部材２３及び顔部材２４が、上記首部材２１に対して、上記頭部連結金具２５を軸に回動できるようになっている。
【００１３】
上記肩関節部材５，５は、図３及び図５に示すように、それぞれ、全体として略Ｕ字形の湾曲板状に形成されていて、上記胴部１の胸部材１１の側面に当接する中壁部５ａと、該中壁部５ａの両側に連設されて外側すなわち左右方向に向かって開放し、上記腕３との連結に供する一対の側壁部５ｂ，５ｂとを一体に有している。また、図１及び図３に示すように、各肩関節部材５，５には、略Ｕ字形に形成された湾曲板状の肩部材５１が、その開放側を肩関節部材５の開放側と対向させるように配置され、側壁部５ｂ，５ｂと腕３との連結部分を覆い隠すように取り付けられている。ここで、この肩部材５１は、対向する一対の側壁における開放側の内面を、上記肩関節部材５における一対の側壁部５ｂ，５ｂの外面に当接させて、その当接部分を貫通する第２連結金具３４により、該肩関節部材５に対して回動可能に装着されている。
【００１４】
上記一対の肩関節部材５，５は、上記胴部１と上記首部材２１と各肩関節部材５における中壁部５ａの頂部とを貫通する上記第１連結金具５２により、該胴部１の左右両側面に対して該第１連結金具５２廻りに回動可能に連結されている。
ここで、上記胴部１の胸部材１１には、図５及び図６に示すように、その左右両側面に、軸線方向に延びる湾曲した凹部１１ａ，１１ａがそれぞれ形成されていて、上記一対の肩関節部材５，５が、これら凹部１１ａ，１１ａの底部において、該底部を通って貫通する上記第１連結金具５２により、上記胸部材１１に対して連結されている。上記凹部１１ａは、肩関節部材５の中壁部５ａと略等しい曲率で湾曲していて、通常の状態においては、図５に示すように、肩関節部材５が、その中壁部５ａの頂部を上記凹部１１ａの底部に沿わせた状態で、該凹部１１ａに保持されている。その一方で、上記腕３，３と共に肩関節部材５，５を、上記第１連結金具５２を軸として回動させた場合には、図６に示すように、上記中壁部５ａが、凹部１１ａに沿ってその両側（前後側）に形成された隆起部分に乗り上げ、それが抵抗となって、胸部材１１に対する肩関節部材５の回動角度が制限されるようになっている。このように、肩関節部材５の胸部材１１に対する回動に対して、人間の肩の回動制限に近似した制限を付与することにより、従来のものと比較して、より人間らしい肩の動きを実現することができるようになっている。（図７参照）
なお、この実施例において凹部１１ａの幅や曲率は、肩関節部材５が胸部材１１に対して前後に各々４５度程度しか回動しないように設定しているが、肩関節部材５の必要な回動角度やその中壁部５ａの曲率等を考慮した上で、任意に設定することができる。
【００１５】
上記腕３，３は、図１及び図３に示すように、上記肩関節部材５に基端部が回動可能に連結される筒状の上腕部材３１と、該上腕部材３１の先端部に基端部が回動可能に連結される筒状の前腕部材３２と、該腕部材３２の先端に配設される板状の手首部材３３とをそれぞれ有している。
具体的には、上記上腕部材３１は、略円筒状に形成されている。また、上記前腕部材３２は、全体として断面略矩形状の筒状に形成されており、先端側に形成された筒部３２ａと、基端側において該筒部３２ａの対向する両側板に連設され、上記上腕部材３１との連結に供される一対の肘連結板３２ｂ，３２ｂと、同じく基端側において筒部３２ａの背面板に連設されると共に、上記一対の肘連結板３２ｂ、３２ｂ間に架設され、上記前腕部材３２が上腕部材３１の後方に回動するのを抑止する肘板３２ｃとを一体に備えている。なお、該前腕部材３２においては、肘板３２ｃと対向する面が開放されており、基端側の断面が正面側に開口する略Ｕ字形となっている。そして、その正面側の開口には、前腕部材３２を上腕部材３１に対して前方に回動させた際に、上腕部材３１が収容されるようになっている。
【００１６】
上記上腕部材３１は、その基端部が上記肩関節部材５の一対の側壁部５ｂ，５ｂ間に挟持されていて、これら側壁部５ｂ，５ｂと上腕部材３１と上記肩部材５１における一対の側壁とを貫通する上記第２連結金具３４により、肩関節部材５に対して回動可能に連結されている。そして、肩関節部材５に対する上腕部材３１の回動に伴って、上記肩部材５１も肩関節部材５に対して上腕部材３１と同じ方向に回動し、上記第２連結金具３４による肩関節部材５と上腕部材３１との連結部分が常に肩部材５１によって覆い隠されるようになっており、また、該肩部材５１は、肩関節部材５に対する上腕部材３１の上方への回動角度を制限する機能をも兼ね備えている。
【００１７】  また、上記前腕部材３２は、図１に示すように、その基端部に形成された一対の肘連結板３２ｂ，３２ｂ間に上腕部材３１の先端部を挟持し、これら上腕部材３１と肘連結板３２ｂ，３２ｂとに肘連結金具３５を貫通させることにより、上腕部材３１に対して回動可能に連結されている。【００１８】
さらに、上記手首部材３３は、図１に示すように、手首連結金具３６の一端に取り付けられていて、該手首連結金具３６の中間部分を上記前腕部材３２の筒部３２ａ内に挿通させると共に、該手首連結金具３６の他端を上記肘連結金具３５に回動可能に巻き付けることにより、上記前腕部材３２の先端に配設されている。
【００１９】
上記一対の脚４，４は、図１及び図３、図８に示すように、それぞれ、上記胴部１の腰部材１２に回動可能に連結された筒状の大腿部材４１と、該大腿部材４１に回動可能に連結された筒状の下腿部材４２と、該下腿部材４２に回動可能に連結される足部材４３と、上記大腿部材４１と下腿部材４２との連結部分を覆って該連結部分に回動可能に装着される湾曲板状の膝部材４４と、下腿部材４２と足部材４３との連結部分を覆って該連結部分に回動可能に装着される湾曲板状の足首覆い部材４５とを有している。
【００２０】
具体的には、上記大腿部材４１は、略円筒状に形成されている。また、上記下腿部材４２は、図３に示すように、全体として断面略矩形状の筒状に形成されており、その基端側に、上記大腿部材４１との連結に供する左右一対の膝連結板４２ａ，４２ａと、正面側に配設されて、下腿部材４２が大腿部材４１の前方に回動するのを抑止する膝板４２ｂとを一体に備え、一方、その先端側には、上記足部材４３との連結に供する左右一対の足首連結板４２ｃ，４２ｃと、背面側に配設されて、足部材４３が下腿部材４２の後方に回動するのを抑止する足首板４２ｄとを一体に備えている。なお、該下腿部材４２においては、膝板４２ｂ及び足首板４２ｄと対向する面がそれぞれ開放されており、基端側の断面は背面側に開口する略Ｕ字形で、その背面側の開口には、下退部材４２を大腿部材４１に対して後方に回動させた際に、該大腿部材４１が収容されるようになっており、一方、先端側の断面は正面側に開口する略Ｕ字形で、その正面側の開口からは、上記足部材４３が突出している。
【００２１】
上記膝部材４４は、膝関節に相当する上記大腿部材４１と下腿部材４２との連結部分を、該連結部分の正面から左右両側面にかけて覆い隠すもので、略Ｕ字形に形成されている。一方、上記足首覆い部材４５は、足首の関節に相当する下腿部材４２と足部材４３との連結部分を、その連結部分の正面から左右両側面にかけて覆い隠すもので、同じく略Ｕ字形に形成されている。さらに、上記足部材４３は、先端が閉塞された角筒状に形成されたもので、足裏に相当する外周面が、この人形が安定的に自立できる程度の大きさの平坦面となっている。
【００２２】
上記左右の大腿部材４１，４１は、図１及び図８に示すように、それらの基端部を上記腰部材１２の下端部における左右側面にそれぞれ当接させ、両当接部分と腰部材１２とを貫通する第３連結金具４８により、上記腰部材１２に対して回動可能に連結されている。すなわち、左右の大腿部材４１，４１と腹部材１２とは、上記第３連結金具４８を、一方の大腿部材４１の内面側から、腹部材１２を通って、他方の大腿部材４１の内面側へと、上記第１連結金具５２と略平行に貫通させることにより、互いに回動可能に連結されている。
【００２３】  また、上記下腿部材４２は、図８に示すように、その基端部に形成された一対の膝連結板４２ａ，４２ａ間に大腿部材４１の先端部を挟持し、これら大腿部材４１と膝連結板４２ａ，４２ａとに第４連結金具４６を貫通させることにより、大腿部材４１に対して回動可能に連結されている。このとき、上記膝部材４４も、その両端部内面を上記下腿部材４２における両膝連結板４２ａ，４２ａの外面にそれぞれ当接させて、その当接部分において該両端部を上記第４連結金具４６によって貫通させることにより、上記大腿部材４１と下腿部材４２との連結部分に対して回動自在に装着されている。【００２４】
さらに、上記足部材４３は、図８に示すように、上記下腿部材４２の先端部に形成された一対の足首連結板４２ｃ，４２ｃ間に挟持され、これら足部材４３と足首連結板４２ｃ、４２ｃとに第５連結金具４７を貫通させることにより、下腿部材４２に対して回動可能に連結されている。このとき、上記足首覆い部材４５も、その両端部内面を上記下腿部材４２における両足首連結板４２ｃ、４２ｃの外面にそれぞれ当接させて、その当接部分において該両端部を上記第５連結金具４７によって貫通させることにより、上記下腿部材４２と足部材４３との連結部分に対して回動自在に装着されている。
【００２５】
ところで、各連結部分に用いられる第１〜第５連結金具５２，３４，４８，４６，４７、頭部連結金具２５、肘連結金具３５、手首連結金具３６は、いずれも金属線条の表面がビニールコーティングよって軟質化された針金であり、そうすることにより、連結部分において各連結金具と各パーツとの間に適度な摩擦が付与されて、連結部分における各パーツの回動を阻害することなく、人形を任意の姿勢に保持することができるようになっている。そして、上記手首連結金具３６以外のすべての連結金具は、それらの両端部に、各連結部分から抜脱するのを防止するための抜止手段を備えている。具体的には、第２連結金具３４を例にとると、上記抜止手段は、図９に示すように、連結金具３４の両端部に、針金の端部を連結金具３４の軸線と交叉する方向に折り曲げて形成した抜止用の折曲部３４ａと、連結金具３４における上記折曲部３４ａに連続する端部を該折曲部３４ａ上に巻き付けて形成した巻取部３４ｂと、折曲部３４ａを回転操作するための耳部３４ｃとによって形成されている。この抜止手段の形成方法は、図９（ａ）に示すように、まず、連結金具３４の端部を折り曲げて、端部全体として略Ｔ字形になるように折曲部３４ａ及び耳部３４ｃを形成し、続いて、図９（ｂ），（ｃ）に示すように、該耳部３４ｃをペンチ等で回転操作して折曲部３４ａを回転させ、連結金具３４の全体の長さが適当になるまで巻取部３４ｂの巻き数を増やすことにより行われ、連結金具３４の抜止めと長さの調整を同時に図ることができるようにしている。
【００２６】
上記構成を有する紙製人形においては、例えば図１０に示すように、人形の肩関節の部分を動かした場合には、略Ｕ字形の肩関節部材５及び筒状の胸部材１１がそれぞれ弾力的に撓んだり潰れたりして変形することにより、また、図１１に示すように、人形の肘関節の部分を動かした場合には、前腕部材３２の筒部３２ａが上腕部材３１との当接部分で弾力的に潰れたり、あるいは肘連結板３２ｂが撓んだりすることにより、さらに、図８に示すように、人形の股関節の部分を胴部１の側方に動かした場合には、筒状の大腿部材４１の基端部が腰部材１２に当接して弾性的に潰れることにより、紙製人形の肩関節や肘関節や股関節の連結部分がそれぞれ人間の肩関節や肘関節や股関節の動きにより近い柔軟な動きをするようになっている。このように、人形の各所、特に各関節部分で連結された各パーツがその動きに伴って変形することにより、人形の各関節部分が人間の関節の動きにより近い柔軟な動きをするため、従来の人形のように機械的でぎくしゃくした動きが少なくなり、紙製人形に、より人間に近い動きをさせることが可能となる。
【００２７】
また、人形の関節を形成する連結部分が、連結すべきパーツを連結金具で貫通させた比較的単純な構成であり、しかも連結金具の抜止と長さ調節とを簡単かつ同時に行うことができるため、パーツ同士の連結作業が簡単であり、結果として人形の製作も容易である。また、使用中において、連結部分における各パーツの連結が固くなったり、逆に緩くなったりしても、抜止手段の耳部を回転操作して巻取部の巻き数を増減することにより、連結部分の固さを容易に調節することができ、さらに、各パーツの修理や交換も容易に行うことができる。
【００２８】
上記実施例においては、肩部材５１や膝部材４４、足首覆い部材４５を取り付けているが、これらの部材は必ずしも設ける必要はなく、また、設けた場合であっても、この実施例に示された形状や大きさである必要はなく、各連結部分の動きを阻害しない範囲で任意の形状や大きさとすることができる。また、顔部材２４の形状や顔の絵、手首部材の形状、あるいは人形の外表面の模様等についても任意のものとすることができる。
【００２９】
また、上記実施例においては、手首連結金具３６以外の各連結金具の両端部に、折曲部、巻取部、耳部をすべて備えた抜止手段が形成されているが、一端に折曲部のみから成る抜止手段を設けると共に、他端に折曲部、巻取部、耳部から成る抜止手段を設け、その他端側で連結金具の長さを調整するようにしてもよい。
【図面の簡単な説明】
【００３０】
【図１】本発明に係る紙製人形の一実施例を示す斜視図である。
【図２】本発明に係る紙製人形を組み立てる前の状態を示す平面図である。
【図３】本発明に係る紙製人形の分解斜視図である。ただし、手首連結金具以外の連結金具は省略している。
【図４】本発明に係る紙製人形の上半部分を示す要部拡大断面図である。
【図５】同斜視図である。ただし、頭部及び右腕のそれぞれの一部、並びに肩部材は省略している。
【図６】肩関節部材を回動させた状態を示す平面図である。ただし、胸部材、肩関節部材、左腕以外は省略している。
【図７】腕を動かすことができる範囲を概略的に示す側面図である。
【図８】本発明に係る紙製人形の下半部分を示す要部拡大断面図である。
【図９】連結金具における抜止手段の形成方法を示す説明図である。
【図１０】肩関節部材及び腕の動きを示す平面図である。ただし、胸部材、肩関節部材、左腕以外は省略している。
【図１１】腕の動きを示す要部拡大断面図である。
【符号の説明】
【００３１】
１  胴部
２  頭部
３  腕
４  脚
５  肩関節部材
５ａ  中壁部
５ｂ  側壁部
１１  胸部材
１１ａ  凹部
１２  腰部材
１３  腹部材
３１  上腕部材
３２  前腕部材
３３  手首部材
３４  第２連結金具
３４ａ  折曲部
３４ｂ  巻取部
３４ｃ  耳部
４１  大腿部材
４２  下腿部材
４３  足部材
４４  膝部材
４５  足首覆い部材
４６  第４連結金具
４７  第５連結金具
４８  第３連結金具
５１  肩部材
５２  第１連結金具
【図１】
0003671048.tif 000002
【図２】
0003671048.tif 000003
【図３】
0003671048.tif 000004
【図４】
0003671048.tif 000005
【図５】
0003671048.tif 000006
【図６】
0003671048.tif 000007
【図７】
0003671048.tif 000008
【図８】
0003671048.tif 000009
【図９】
0003671048.tif 000010
【図１０】
0003671048.tif 000011
【図１１】
0003671048.tif 000012